(57)【要約】【課題】指向性が強い通信波は、通信可能な方向（範囲）が限定される。例えば、アレイアンテナを複数備えれば、通信可能な方向を増加させることが可能になる。しかし、アレイアンテナの使用数を増やすと、製品コストが上昇したり、電力消費が増加したりしてしまうという問題があった。このため。電子機器において、アレイアンテナの使用数を低減しつつ、通信相手を確認し易くすることが課題になっていた。【解決手段】実施形態の電子機器は、第１の方向に通信波の送受信が可能なアンテナ部を備える。また、前記第１の方向の一部に設けられ、前記通信波の送受信可能な方向を第２の方向へ電気的に切替え可能な切替え部を備える。【選択図】  図４
2012199733.tif 000002
【特許請求の範囲】
【請求項１】
第１の方向に通信波の送受信が可能なアンテナ部と、
前記第１の方向の一部に設けられ、前記通信波の送受信可能な方向を第１の方向および第２の方向へ電気的に切替え可能な切替え部を備える電子機器。
【請求項２】
前記切替え部は、前記通信波の透過および反射を切替え可能な切替え部材を備える請求項１に記載の電子機器。
【請求項３】
前記切替え部の制御を行なう制御部を備える請求項１または２に記載の電子機器。
【請求項４】
前記切替え部は、前記通信波を透過した場合は前記第１の方向に、反射した場合は前記第２の方向に通信波を送受信する請求項１乃至３に記載の電子機器。
【請求項５】
筐体を備え、前記筐体は前記アンテナ部および前記切替え部を収容する請求項１乃至４に記載の電子機器。
【請求項６】
前記切替え部材は、板状またはフィルム状に構成される請求項１乃至５に記載の電子機器。
【請求項７】
前記切替え部材は、一部が湾曲した湾曲部を備える請求項１乃至６に記載の電子機器。
【請求項８】
前記切替え部の制御を行なうことによって、実質的に指向性を向上させる請求項１乃至７に記載の電子機器。
【請求項９】
第１の方向に通信波の送受信を行なうステップと、
前記通信波の送受信を第１の方向および第２の方向へ電気的に切替えるステップを備える電子機器の制御方法。
【発明の詳細な説明】
【技術分野】
【０００１】
本発明の実施形態は、電子機器、電子機器の制御方法に関する。
【背景技術】
【０００２】
近年、無線通信にミリ波と呼ばれる電磁波が用いられつつある。
ミリ波とは、電磁波の中でも、周波数帯域が３０ＧＨｚから３００ＧＨｚほどの電波のことである。すなわち、その波長がおおよそ１０ｍｍ（３０ＧＨｚ）から１ｍｍ（３００ＧＨｚ）程度であることから、ミリ波（Extremely High FrequencyまたはＥＨＦ）と呼ばれている。
【０００３】
例えば、携帯電話等の通信に用いられている通信波の周波数は、およそ１．７ＧＨｚから２ＧＨｚ程度であるが、ミリ波はその数十倍から数百倍の周波数である。このため、広い帯域を使用することが可能であり、短距離通信であれば、例えば、１Ｇｂｐｓを超えるような高速の無線通信を行うことが可能である。
【０００４】
また、ミリ波の通信（ミリ波の送受信）においては、ミリ波が光の特性に近く、直進性および指向性が強いため、通信を行うことが可能な方向（範囲）が限定される。
【０００５】
このため、例えば、アレイアンテナ(array antenna)を用い、ビームフォーミング等が行われる。
しかし、アレイアンテナの通信可能な方向（範囲）は、通常は、６０°程度の方向であり、上記ビームフォーミング等を行なっても１６０°程度の方向である。このため、１６０°を超えるアレイアンテナの真横方向や裏側（反対）方向にはミリ波の通信電波は届かず、この場合、通信相手を確認することはできなかった。
【０００６】
例えば、アレイアンテナを複数備えれば、通信可能な方向（範囲）を増加させることが可能であり、通信相手を確認し易くなる。
しかし、電子機器において、アレイアンテナの使用数を増やすと、製品コストが上昇したり、複数のアレイアンテナで電力が消費され、電力消費が増加したりしてしまうという問題があった。
【０００７】
このため、アレイアンテナの使用数を低減しつつ、通信相手を確認し易くすることが課題になっていた。
【先行技術文献】
【特許文献】
【０００８】
【特許文献１】特開平１１−２７０３６号公報
【発明の概要】
【発明が解決しようとする課題】
【０００９】
電子機器において、アレイアンテナの使用数を低減しつつ、通信相手を確認し易くすることが課題になっていた。
【課題を解決するための手段】
【００１０】
実施形態の電子機器は、第１の方向に通信波の送受信が可能なアンテナ部を備える。
また、前記第１の方向の一部に設けられ、前記通信波の送受信可能な方向を第２の方向へ電気的に切替え可能な切替え部を備える。
【図面の簡単な説明】
【００１１】
【図１】電子機器と他の電子機器で行なわれる、指向性が強い電波を用いるデータ通信の一例を説明する図。
【図２】実施形態に係わる電子機器の一例の外観図。
【図３】実施形態に係わる電子機器の一例の構成を説明するブロック図。
【図４】実施形態に係わる電子機器の一例の構成を説明する図。
【図５】実施形態に係わる電子機器の他の例の構成を説明する図。
【図６】実施形態に係わる電子機器の他の例の構成を説明する図。
【図７】実施形態に係わる電子機器の一例の動作を説明するフローチャート。
【発明を実施するための形態】
【００１２】
以下、図面を参照し、実施の形態を説明する。
図１は、電子機器と他の電子機器で行なわれる、指向性が強い電波を用いるデータ通信の一例を説明する図である。
符号１０は、例えば、ミリ波のように指向性が強い電波を用いて、データ通信を行なう電子機器である。ここではパーソナルコンピュータ（ＰＣ１）を一例として用い、説明する。符号１０ｂは他の電子機器（ＰＣ２）である。電子機器１０はこの電子機器（ＰＣ２）１０ｂとミリ波を用いたデータ通信を行なう。
【００１３】
符号１３１は、例えば、電子機器（ＰＣ１）１０において、指向性が強い電波であるミリ波を用いた通信が可能な方向を示している。ここでは、すなわち、パーソナルコンピュータ（ＰＣ１）１０の他の電子機器との通信が可能な方向である。
【００１４】
図に示すように、電子機器（ＰＣ２）１０ｂは電子機器（ＰＣ１）１０のミリ波通信可能な方向であるＰＣ１の通信方向にある。このため、電子機器（ＰＣ１）１０と電子機器（ＰＣ２）１０ｂは指向性が強い電波であるミリ波を用いた通信を行なうことが可能である。
【００１５】
また、符号２０は電子機器（ＴＶ）、符号３０は電気機器（スマートフォン）である。
図に示すように、これらの電子機器（ＴＶ）２０および電気機器（スマートフォン）３０は、ここでは、電子機器（ＰＣ１）１０のミリ波通信が可能な方向であるＰＣ１の通信方向にない。このため、電子機器（ＴＶ）２０および電気機器（スマートフォン）３０は、電子機器（ＰＣ１）１０とはミリ波通信を行なうことができない状態である。
【００１６】
このように、例えば、ミリ波通信のような指向性が強い電波を用いる通信においては、他の電子機器との通信可能な方向（範囲）が限定される。
このため、この実施の形態においては、後述するように、例えば、電子機器（ＰＣ）１０の通信波の送受信可能な方向を電気的に切替えることによって、通信相手（他の電子機器）を確認し易くするようにしている。
【００１７】
図２は、実施形態に係わる電子機器の一例の外観図である。
ここでは、電子機器は、例えばノートブックタイプのパーソナルコンピュータ（ノートＰＣ）１０として実現されている。
なお、この実施の形態はパーソナルコンピュータに限られず、ＴＶや携帯電話、携帯型の電子機器等に適用することも可能である。
図２に示すように、本電子機器（ノートＰＣ）１０は、コンピュータ（ノートＰＣ）本体の筐体１１と、映像表示部（ディスプレイユニット）１２とから構成されている。映像表示部（ディスプレイユニット）１２には、例えば、ＬＣＤ（liquid crystal display）１７が組み込まれている。
【００１８】
映像表示部（ディスプレイユニット）１２は、コンピュータ（ノートＰＣ）本体の筐体１１の上面が露出される開放位置と、コンピュータ（ノートＰＣ）本体の筐体１１の上面を覆う閉塞位置との間を、回動自在にコンピュータ（ノートＰＣ）本体の筐体１１に取り付けられている。
【００１９】
コンピュータ（ノートＰＣ）本体の筐体１１は、例えば、薄い箱形の筐体を有しており、その上面には、キーボード１３、本電子機器（ノートＰＣ）１０を電源オン／電源オフするためのパワーボタン１４、入力操作パネル１５、タッチパッド１６、スピーカ１８Ａ、１８Ｂなどが配置されている。入力操作パネル１５上には、各種操作ボタンが設けられている。
【００２０】
また、コンピュータ（ノートＰＣ）本体の筐体１１の右側面には、例えばＵＳＢ（universal serial bus）２．０規格のＵＳＢケーブルやＵＳＢデバイスを接続するためのＵＳＢコネクタ１９が設けられている。
【００２１】
さらに、コンピュータ（ノートＰＣ）本体の筐体１１の背面には、例えばＨＤＭＩ(high-definition multimedia interface)規格に対応した外部ディスプレイ接続端子（図示せず）が設けられている。この外部ディスプレイ接続端子は、デジタル映像信号を外部ディスプレイに出力するために用いられる。
【００２２】
図２は、実施形態に係わる電子機器（ノートＰＣ）の構成を示すブロック図である。
本電子機器（ノートＰＣ）１０は、図２に示されているように、ＣＰＵ（central processing unit）１０１、ノースブリッジ１０２、主メモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（electrically erasable programmable ROM）１１４等を備える。
【００２３】
また、ＣＰＵ１０１は、本電子機器（ノートＰＣ）１０内の各部の動作を制御するプロセッサである。
ＣＰＵ１０１は、ＢＩＯＳ−ＲＯＭ１０７に格納されたＢＩＯＳを実行する。ＢＩＯＳは、ハードウェア制御のためのプログラムである。
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、PCI EXPRESS規格のシリアルバスなどを介してＧＰＵ１０５との通信を実行する機能も有している。
【００２４】
ＧＰＵ１０５は、本電子機器（ノートＰＣ）１０のディスプレイモニタとして使用されるＬＣＤ１７を制御する表示コントローラである。
このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ１にデジタル映像信号を送出することもできる。
【００２５】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００２６】
サウスブリッジ１０４は、ＨＤＤ１０９及びＯＤＤ１１０を制御するためのＩＤＥ（Integrated Drive Electronics）コントローラを内蔵している。
【００２７】
さらに、サウスブリッジ１０４は、サウンドコントローラ１０６との通信を実行する機能も有している。
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばIEEE 802.3規格の有線通信を実行する有線通信デバイスであり、一方、無線ＬＡＮコントローラ１１２は、例えばIEEE 802.11g規格の無線通信を実行する無線通信デバイスである。ＵＳＢコントローラ１１１Ａは、（ＵＳＢコネクタ１９を介して接続される）例えばUSB 2.0規格に対応した外部機器との通信を実行する。
【００２８】
例えば、ＵＳＢコントローラ１１１Ａは、例えば、デジタルカメラに格納されている画像データファイルを受信するために使用される。カードコントローラ１１１Ｂは、コンピュータ（ノートＰＣ）本体の筐体１１に設けられたカードスロットに挿入される、ＳＤカードのようなメモリカードに対するデータの書き込み及び読み出しを実行する。
【００２９】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて本電子機器（ノートＰＣ）１０を電源オン／電源オフする機能を有している。
【００３０】
この実施の形態における表示制御は、例えばＣＰＵ１０１が主メモリ１０３やＨＤＤ１０９等に記録されたプログラムを実行させることにより行われる。
また、この実施の形態においては、電子機器（ＰＣ）１０の通信波の送受信可能な方向を、例えば、第１の方向と第２の方向の間で、電気的に切替えることによって、ミリ波通信の通信相手（電子機器）を確認し易くするために、例えば、ミリ波通信コントローラ１２０、アンテナ２２、透過／反射板２３を備えている。
【００３１】
アンテナ２２は、例えば、図４で説明するアレイアンテナである。また、透過／反射板２３は、後述するように、ミリ波の透過および反射を行なう。
ミリ波通信コントローラ１２０は、これらのアンテナ２２および、透過／反射板２３を電気的に制御する。
図４は、実施形態に係わる電子機器の一例の構成を説明する図である。
上記のように、符号１１は電子機器（ＰＣ）１０の筐体である。また、符号２２はアレイアンテナ、符号２３ａは透過／反射板、符号２４は通信制御回路である。この通信制御回路２４は、例えば、上記ミリ波通信コントローラ１２０に含まれる。
【００３２】
また、符号３１は電子機器（ＰＣ）１０がミリ波通信可能な第１の通信方向（透過）である。また、符号３２は同じく電子機器（ＰＣ）１０がミリ波通信可能な第２の通信方向（反射）である。
【００３３】
これらのアレイアンテナ２２、透過／反射板２３ａ、通信制御回路２４は、例えば、電子機器（ＰＣ）１０の筐体１１内部に収容される。
この実施の形態においては、アレイアンテナ２２は、例えば、上記のように指向性が強く、第１の通信方向３１にミリ波を送受信する。
ここで、一般的なアレイアンテナについて説明する。
上記のように、アレイアンテナは、指向性が強いアンテナである。
一般に、アレイアンテナは、小さなアンテナを平面状に多数配列したもので、その数は、数千個に上ることがある。個々のアンテナの出力は微弱である。しかし、複数のアンテナから合成されるので大出力が得られる。
【００３４】
また、アレイアンテナの上記小さなアンテナから同時に電波（ミリ波）が出力された場合は、合成波は、アンテナ面と直角な方向に向かって進む。また、上記小さなアンテナ毎に電波の位相をずらすと、合成波はアンテナ面から斜め方向に出力される。
【００３５】
また、ミリ波の受信は、小さなアンテナ毎の位相の差を調べることにより、電波（ミリ波）の入射方向を調べることが可能である。
また、この実施の形態においては、透過／反射板２３ａが構成され、例えば、この第１の通信方向３１、すなわち、アレイアンテナ２２からミリ波が送受信される方向に、アレイアンテナ２２から送受信されるミリ波が透過および反射される。
【００３６】
また、この透過／反射板２３ａは、上記ミリ波の反射および透過を電気的に制御する。例えば、ミリ波の反射を行なう場合は、透過／反射板２３ａが実質的に金属等のように鏡面にされ、ミリ波を反射するように電気的に制御される。また、ミリ波の透過を行なう場合は、例えば、上記金属等のような鏡面に、そのミリ波の波長よりも小さい隙間が形成され、ミリ波が透過可能になるように、電気的に制御される。
【００３７】
一般に、電磁波はその波長よりも小さい隙間が金属面にあいていても透過せず、反射される性質がある。
この実施の形態においては、これを利用し、例えば、複数の隙間のあるパネルを組み合わせて透過／反射板２３ａに鏡面を構成したり、その透過／反射板２３ａのパネルに穴を開けたりすることを電気的に行なうことで透過／反射の切替え制御を行なうことが可能である。
【００３８】
この実施の形態においては、例えば、このように、この透過／反射板２３に対してミリ波の反射および透過を電気的に切替え制御し、透過／反射板２３ａを制御する。
【００３９】
これらは、例えば、電気信号で光の反射、透過を切換える液晶シャッタのように切り替え制御される。
この実施の形態においては、通信制御回路２４に制御され、透過／反射板２３ａは、ミリ波の透過および反射を切替え制御する。
そして、通信制御回路２４が透過／反射板２３ａをミリ波の透過に切替え制御した場合は、透過／反射板２３ａにおいてミリ波は透過される。このため、アレイアンテナ２２におけるミリ波の送受信方向は、図に示すように、符号３１を付した第１の通信方向になる。
【００４０】
また、通信制御回路２４が透過／反射板２３ａをミリ波の反射に切替え制御した場合は、透過／反射板２３ａにおいてミリ波は反射される。このため、アレイアンテナ２２におけるミリ波の送受信方向は、図に示すように、符号３２を付した第２の通信方向になる。
【００４１】
この実施の形態においては、上記透過／反射板２３ａにおけるミリ波の透過／反射の切替え制御は、例えば、数十ミリ秒〜１秒程度の間隔で、周期的に行なわれる。
また、この実施の形態においては、例えば、通信相手の電子機器が確認された場合は、通信相手が確認されたタイミングの方向、すなわち、透過の切替え制御タイミングで通信相手が確認された場合は透過／反射板２３ａの制御を透過側に固定する。また、反射の切替え制御タイミングで通信相手が確認された場合は透過／反射板２３ａの制御を反射側に固定する。これにより、相手方電子機器とのデータ通信ができるようにする。
【００４２】
上記のように、この実施の形態においては、透過／反射板２３ａが透過状態になっていれば、第１の通信方向３１に電波が放射され、実質的に透過／反射板２３ａがない場合と同様の通信が可能になる。
【００４３】
また、透過／反射板２３ａが反射状態になった場合は、ミリ波は反射され、第２の通信方向３２に電波が放射され、第２の通信方向３２で相手電子機器との通信が可能になる。これにより、相手電子機器を確認し易くなる。
【００４４】
図５は、実施形態に係わる電子機器の他の例の構成を説明する図である。
この実施の形態においては、上記透過／反射板２３ａに代え、フィルム状の透過／反射フィルム２３ｂを構成する。また、ここでは、ミリ波を透過する程度に略透明のフィルム固定部２５を備える。フィルム固定部２５は、例えば、筐体１１に支持される。
【００４５】
そして、透過／反射フィルム２３ｂは上記フィルム固定部２５に貼付され、上記透過／反射板２３ａと同様に、通信制御回路２４に指示され、アレイアンテナ２２と送受信されるミリ波の透過／反射を切替え制御する。
【００４６】
この実施の形態においては、フィルム状の透過／反射フィルム２３ｂを用いることにより、安価に、または柔軟に電子機器１０に設置することが可能になる。
また、例えば、このフィルム状の透過／反射フィルム２３ｂを用いる場合は、図に示すように筐体１１の内部の構造体に貼り付けることで、容易に透過／反射フィルム２３ｂが貼付されたフィルム固定部２５を固定し、設置することが可能になる。
【００４７】
図６は、実施形態に係わる電子機器の他の例の構成を説明する図である。
この実施の形態においては、上記透過／反射板２３ａに代え、図に示すように、湾曲した透過／反射板あるいは湾曲した透過／反射シート２３ｃを構成する。
そして、上記と同様に、例えば、通信制御回路２４が湾曲した透過／反射板（シート）２３ｃをミリ波の透過に切替え制御した場合は、湾曲した透過／反射板（シート）２３ｃにおいてミリ波は透過される。このため、アレイアンテナ２２におけるミリ波の送受信方向は、図に示すように、第１の通信方向３１である。
【００４８】
また、通信制御回路２４が湾曲した透過／反射板（シート）２３ｃをミリ波の反射に切替え制御した場合は、湾曲した透過／反射板（シート）２３ｃにおいてミリ波は反射される。このため、アレイアンテナ２２におけるミリ波の送受信方向は、図に示すように、第２の通信方向３２である。
【００４９】
そして、この実施の形態においては、上記湾曲した透過／反射板（シート）２３ｃにおけるミリ波の透過／反射の切替え制御は、例えば、数十ミリ秒〜１秒程度の間隔で、周期的に行なわれる。
【００５０】
そして、例えば、通信相手の電子機器が確認された場合は、通信相手が確認されたタイミングの方向、すなわち、透過の切替え制御タイミングで通信相手が確認された場合は湾曲した透過／反射板（シート）２３ｃの制御を透過側に固定する。また、反射の切替え制御タイミングで通信相手が確認された場合は湾曲した透過／反射板（シート）２３ｃの制御を反射側に固定する。これにより、相手方電子機器とのデータ通信ができるようにする。
【００５１】
上記のように、例えば、透過／反射板（シート）２３ｃを、図に示すように凸面鏡のように湾曲した形にし、反射した場合のミリ波の放射方向（範囲）をさらに広げることが可能になる。
【００５２】
図７は、実施形態に係わる電子機器の一例の動作を説明するフローチャートである。
符号Ｓ１００は、ここでの開始ステップである。続いて、ステップＳ１０１へ進む。
ステップＳ１０１は、他電子機器とのミリ波通信をＯＮにするステップである。続いて、続いて、ステップＳ１０２へ進む。
ステップＳ１０２は、ＣＰＵ１０１の指示で透過／反射部（例えば、透過／反射板２３ａ、透過／反射シート２３ｂ、湾曲した透過／反射板（シート）２３ｃ等）の通信波（ミリ波）の透過および反射制御を周期的に切替え、通信相手機器を探すステップである。続いて、続いて、ステップＳ１０３へ進む。
【００５３】
ステップＳ１０３は、電子機器（ＰＣ）１０の通信相手機器は確認されたかを判別するステップである。電子機器（ＰＣ）１０の通信相手機器は確認されたかと判別された場合はステップＳ１０４へ進む（Ｙｅｓ）。電子機器（ＰＣ）１０の通信相手機器は確認されないと判別された場合はステップＳ１０２へ進み上記処理を繰り返す（Ｎｏ）。
【００５４】
ステップＳ１０４は、透過／反射部（２３ａ、２３ｂ、２３ｃ等）を、上記説明したように、通信相手機器とのミリ波通信が確認された、透過または反射制御のいずれかに固定するステップである。続いて、続いて、ステップＳ１０５へ進む。
【００５５】
ステップＳ１０５は、通信が確認された相手電子機器とデータ通信を行なうステップである。続いて、続いて、ステップＳ１０６へ進む。
ステップＳ１０６は、相手電子機器と行なうデータ通信を監視し、データ通信は切れたかを判別するステップである。データ通信が切れたと判別される場合は、ステップＳ１０２へ戻り、上記処理を繰り返す（Ｙｅｓ）。データ通信が切れないと判別される場合は、ステップＳ１０５へ戻り、上記処理を繰り返す（Ｎｏ）。
【００５６】
この実施の形態においては、例えば、相手電子機器との通信が非接続の場合に、相手電子機器を見つけるために、周期的にビーコンや接続要求信号を送信または受信しなくてはならない場合、例えば、通信制御回路２４が、上記透過と反射を一定時間毎に、周期的に切換え制御を行うため、相手電子機器が上記第１の方向３１または上記第２の方向３２のどちらにいても、相手電子機器を検出し、データ通信の接続を行うことが可能になる。
【００５７】
上記のように構成することによって、この発明の実施の形態においては、アレイアンテナの使用数を低減しつつ、通信相手を確認し易くすることが可能となるという効果がある。
【００５８】
なお、上記実施形態は、記述そのものに限定されるものではなく、実施段階では、その趣旨を逸脱しない範囲で、構成要素を種々変形して具体化することが可能である。
【００５９】
また、上記実施形態に開示されている複数の構成要素の適宜な組み合せにより種々の発明を形成できる。
例えば、実施形態に示される全構成要素から幾つかの構成要素を削除してもよい。更に、異なる実施形態に亘る構成要素を適宜組み合せてもよい。
【符号の説明】
【００６０】
１０…電子機器（ＰＣ）、１１…筐体、２２…アレイアンテナ、２３ａ…透過／反射板、２３ｂ…透過／反射フィルム、２３ｃ…湾曲した透過／反射板（シート）、２４…通信制御回路、３１…第１の通信方向（透過）、３２…第２の通信方向（反射）。
【図１】
2012199733.tif 000003
【図２】
2012199733.tif 000004
【図３】
2012199733.tif 000005
【図４】
2012199733.tif 000006
【図５】
2012199733.tif 000007
【図６】
2012199733.tif 000008
【図７】
2012199733.tif 000009
【手続補正書】
【提出日】平成24年7月11日(2012.7.11)
【手続補正１】
【補正対象書類名】特許請求の範囲
【補正対象項目名】全文
【補正方法】変更
【補正の内容】
【特許請求の範囲】
【請求項１】
ビーコンまたは接続要求の通信波を第１の方向に送信または受信が可能なアンテナ部と、
前記ビーコンまたは接続要求を送信または受信する通信方向を前記第１の方向とこの方向と異なる第２の方向へ電気的に切替え可能な切替え部と、
前記通信方向を一定時間毎に周期的に切替えるように前記切替え部を制御する制御部と
を備える電子機器。
【請求項２】
前記切替え部は、前記通信波の透過および反射を切替え可能な切替え部材を備える請求項１に記載の電子機器。
【請求項３】
前記切替え部は、前記通信方向を数十ミリ秒から１秒の間隔で周期的に切替える請求項１または２に記載の電子機器。
【請求項４】
前記切替え部材は、前記通信波を透過した場合は前記第１の方向に、反射した場合は前記第２の方向に通信方向を切替える請求項２に記載の電子機器。
【請求項５】
前記アンテナ部および前記切替え部を収容する筐体を備える請求項１乃至３に記載の電子機器。
【請求項６】
前記切替え部材は、板状またはフィルム状に構成される請求項２に記載の電子機器。
【請求項７】
前記切替え部材は、一部が湾曲した湾曲部を備える請求項２に記載の電子機器。
【手続補正２】
【補正対象書類名】明細書
【補正対象項目名】００１０
【補正方法】変更
【補正の内容】
【００１０】
実施形態の電子機器は、ビーコンまたは接続要求の通信波を第１の方向に送信または受信が可能なアンテナ部と切替え部と制御部とを備える。
前記切替え部は、前記ビーコンまたは接続要求を送信または受信する通信方向を前記第１の方向とこの方向と異なる第２の方向のいずれかへ電気的に切替え可能である。
前記制御部は、前記通信方向を一定時間毎に周期的に切替えるように前記切替え部を制御する。